(57)【要約】      （修正有）【課題】集塵期間が長くなってもバグ保持板の受孔から脱落することのない集塵用バグフィルターを提供する。【解決手段】集塵装置のバグ保持板３０の受孔３０ａに対し着脱容易な止め具４１、及び受孔３０ａに係止される開口縁部１１と濾布胴部１２とからなる筒状濾布体１０とで構成される集塵装置用バグフィルターであって、濾布胴部１２の濾布の厚みがｔであり、開口縁部１１のバグ保持板３０から突出する部分の内部に金属リング５が縫い込まれ、開口縁部１１の外径Ｄが前記受孔の径よりｔ乃至２ｔ大きく、筒状濾布体１０の開口縁部１１の内側から止め具４１の弾力性を利用して、バグ保持板３０の受孔３０ａに対し装着固定及び着脱容易な構成とした。【選択図】図２
0003204164.tif 000002
【実用新案登録請求の範囲】
【請求項１】
集塵装置のバグ保持板の受孔に対し着脱容易な止め具、及び前記受孔に係止される開口縁部と濾布胴部とからなる筒状濾布体とで構成される集塵装置用バグフィルターであって、
前記濾布胴部の濾布の厚みがｔであり、
前記開口縁部の前記バグ保持板から突出する部分の内部に金属リング又は樹脂リングが縫い込まれ、前記開口縁部の外径が前記受孔の径よりｔ乃至２ｔ大きく、
前記筒状濾布体の前記開口縁部の内側から前記止め具の弾力性を利用して、前記バグ保持板の受孔に対し装着固定及び着脱容易な構成としたことを特徴とする集塵用バグフィルター。
【請求項２】
前記開口縁部を長尺状の濾布の内部に前記金属リング又は樹脂リングを挿入した後折り返して構成し、更に前記開口縁部に前記濾布胴部を挿入して縫い合わせて前記筒状濾布体を構成したことを特徴とする請求項１に記載の集塵用バグフィルター。
【請求項３】
前記開口縁部を前記濾布胴部の端部に前記金属リング又は樹脂リングを挿入した後折り返して構成し、更に前記開口縁部に帯布を挿入して縫い合わせて前記筒状濾布体を構成したことを特徴とする請求項１に記載の集塵用バグフィルター。
【考案の詳細な説明】
【技術分野】
【０００１】
本考案は、集塵装置に装着される集塵装置用バグフィルターに関する。
【背景技術】
【０００２】
従来、集塵装置用バグフィルターは、バグフィルター自体が筒状濾布体を形成し、筒状濾布体の開口縁部には金属製のリング状止め具が縫い込まれて袋体と止め具が一体化されていた。そして、バグフィルターの交換の際には、通常は目詰まりして再生不可能となった筒状濾布体と共にリング状止め具も廃棄されていた。しかし、この場合リング状止め具を筒状濾布体の開口縁部に縫い付けて使用しているため、筒状濾布体の開口縁部を切り開いてリング状止め具を取り出さなければならず、この作業に時間がかかり、更に筒状濾布体が汚れていることから作業場所が限定されるという問題があった。
【０００３】
そこで、例えば特許文献１には、筒状濾布体とリング状止め具とを分離して別個にし、着脱及び分別を容易にし、作業場所を選ぶことなく、汚れた筒状濾布体のみ簡単に分別処分ができ、更にリング状止め具の再利用を可能にする集塵用バグフィルターに関する技術が開示されている。以下に、特許文献１の集塵用バグフィルターについて図５、図６等を参照しつつ説明する。
【０００４】
図５（ａ）は特許文献１の第１の筒状濾布体５０を、図５（ｂ）は図５（ａ）のＡ−Ａ断面を示し、図６（ａ）は特許文献１の第２の筒状濾布体１００を、図６（ｂ）は図６（ａ）のＢ−Ｂ断面を示す図である。第１の筒状濾布体５０の開口縁部５０ａの内部にはくびれ部５０ｄを挟んで上下に膨らみ部を有する芯材５０ｂが上下に厚みを持たせて縫い込まれて瓢箪類似形状断面を呈し、また第２の筒状濾布体１００の開口縁部１００ａの内部には紐状体（ロープ状）からなる芯材Ｒｐを縫い込んだ二重円形断面を呈し、それぞれバグ保持板の受孔に対し係止し易い形状となっている。
【０００５】
図７（ａ）、（ｂ）は、帯板を用いた表面が平らな止め具の例であり、図７（ａ）は、例えば金属製の弾性素材からなる所定幅の帯板４０ａを丈の短い筒のようなリング状に形成して合わせ目をリベット４０ｂで止めて固定した止め具Ａ  ４０を示す。図７（ｂ）は、止め具Ａ  ４０の幅を少し狭くして鈎状係止部４１ａを３箇所追加した止め具Ｂ  ４１を示す図である。
【０００６】
図８（ａ）は、第１の筒状濾布体５０を止め具Ａ  ４０で固定した状態を示す断面図であり、第１の筒状濾布体５０は止め具Ａ  ４０によって、開口縁部５０ａがバグ保持板３０に押し付けられ固定される。また、図８（ｂ）は、第２の筒状濾布体１００を止め具Ｂ  ４１で固定した状態を示す断面図であり、止め具Ｂ  ４１を装着した場合に開口縁部１００ａがバグ保持板３０の受孔３０ａよりもやや拡径して顎が引っかかるように確実に固定するようにしたものである。
【先行技術文献】
【特許文献】
【０００７】
【特許文献１】特許第４０９９１７８号公報
【考案の概要】
【考案が解決しようとする課題】
【０００８】
しかし、上記した集塵装置用バグフィルターは、集塵期間が長くなって徐々に目詰まりが進行した場合に、第１の筒状濾布体５０、第２の筒状濾布体１００がバグ保持板３０の受孔３０ａから脱落してしまうという課題があった。すなわち、集塵用バグフィルターの第１の筒状濾布体５０、第２の筒状濾布体１００は、濾布体の内部から外部に向かって気流が流れ、図に於いて下方に引き下ろす力を受けるため、結果的に開口縁部５０ａ又は開口縁部１００ａが受孔３０ａから脱落してしまうという問題があった。
【０００９】
本考案は、上記課題を解決するためになされたものであり、集塵期間が長くなってもバグ保持板の受孔から脱落することのない集塵用バグフィルターを提供することを目的とする。
【課題を解決するための手段】
【００１０】
本考案は、上記課題を解決するため以下の構成を有する。
【００１１】
（１）集塵装置のバグ保持板の受孔に対し着脱容易な止め具、及び前記受孔に係止される開口縁部と濾布胴部とからなる筒状濾布体とで構成される集塵装置用バグフィルターであって、
前記濾布胴部の濾布の厚みがｔであり、
前記開口縁部の前記バグ保持板から突出する部分の内部に金属リング又は樹脂リングが縫い込まれ、前記開口縁部の外径が前記受孔の径よりｔ乃至２ｔ大きく、
前記筒状濾布体の前記開口縁部の内側から前記止め具の弾力性を利用して、前記バグ保持板の受孔に対し装着固定及び着脱容易な構成としたことを特徴とする集塵用バグフィルター。
【００１２】
（２）前記開口縁部を長尺状の濾布の内部に前記金属リング又は樹脂リングを挿入した後折り返して構成し、更に前記開口縁部に前記濾布胴部を挿入して縫い合わせて前記筒状濾布体を構成したことを特徴とする前記（１）に記載の集塵用バグフィルター。
【００１３】
（３）前記開口縁部を前記濾布胴部の端部に前記金属リング又は樹脂リングを挿入した後折り返して構成し、更に前記開口縁部に帯布を挿入して縫い合わせて前記筒状濾布体を構成したことを特徴とする前記（１）に記載の集塵用バグフィルター。
【考案の効果】
【００１４】
本考案によれば、集塵期間が長くなってもバグ保持板の受孔から脱落することのない集塵用バグフィルターを提供することができる。
【図面の簡単な説明】
【００１５】
【図１】本考案の集塵用バグフィルターの筒状濾布体の構成を示す図
【図２】本考案の集塵用バグフィルターの筒状濾布体の設置状態を示す図
【図３】本考案の集塵用バグフィルターの他の筒状濾布体の構成を示す図
【図４】本考案の集塵用バグフィルターの他の筒状濾布体の設置状態を示す図
【図５】従来の集塵用バグフィルターの第１の筒状濾布体の構成を示す図
【図６】従来の集塵用バグフィルターの第２の筒状濾布体の構成を示す図
【図７】従来の集塵用バグフィルターの筒状濾布体に用いる止め具を示す図
【図８】従来の集塵用バグフィルターの濾布体の設置状態を示す断面図
【考案を実施するための形態】
【００１６】
本考案を実施するための形態を、図面を参照しつつ以下に説明する。
【実施例】
【００１７】
本考案の集塵用バグフィルターは、筒状濾布体と筒状濾布体をバグ保持板に係止するための止め具とから構成される。図１は本実施例の集塵用バグフィルターの筒状濾布体１０の外観を示す図である。
【００１８】
筒状濾布体１０は、開口縁部１１と濾布胴部１２とからなる。そして、開口縁部１１は内部に金属リング５を有しており、金属リング５を包み込んだ後、濾布を折り返し濾布胴部１２を挿入して縫い目Ｂ１，Ｂ２，Ｂ３で縫い合わせる。濾布胴部１２は、下側端部が縫い目Ｃで縫い合わされ、筒状濾布体１０の長手方向に縫い目Ａで縫い合わされている。また、開口縁部１１は縫い目Ｄで縫い合わされている。なお、金属リング５は樹脂リングであってもよい。このように大きな強度を有するリングを構成することで、開口縁部１１の端部の強度が増す。ここで、濾布胴部１２の濾布の厚みはｔｍｍであるものとする。
【００１９】
図２は、バグ保持板３０の受孔３０ａに筒状濾布体１０を挿入し、既に述べた止め具Ｂ  ４１で固定した状態を示す断面図である。ここで、開口縁部１１の外径寸法Ｄは、受孔３０ａの内径よりもｔ〜２ｔ大きいものとする。これは、筒状濾布体１０を受孔３０ａに挿入する際、硬い挿入状態にするためである。この状態で止め具Ｂ  ４１を設置することで、従来よりも強固に筒状濾布体１０をバグ保持板３０に固定することができる。
【００２０】
図３は本実施例の集塵用バグフィルターの他の筒状濾布体２０の外観を示す図である。
【００２１】
筒状濾布体２０は、開口縁部２１と濾布胴部２２とからなる。そして、開口縁部２１は内部に金属リング５を有しており、金属リング５を包み込んだ後、濾布を折り返し帯布２３を挿入して縫い目Ｅ１，Ｅ２，Ｅ３で縫い合わせる。濾布胴部２２は、下側端部が縫い目Ｃで縫い合わされ、筒状濾布体２０の長手方向に縫い目Ａで縫い合わされている。また、開口縁部２１は縫い目Ｄで縫い合わされている。筒状濾布体２０は、開口縁部２１の内側の濾布を延長して濾布胴部２２としている。
【００２２】
図４は、バグ保持板３０の受孔３０ａに筒状濾布体２０を挿入し、既に述べた止め具Ｂ  ４１で固定した状態を示す断面図である。ここで、開口縁部２１の外径寸法Ｄは、上記した筒状濾布体１０の場合と同様に受孔３０ａの内径よりもｔ〜２ｔ大きいものとする。
【００２３】
本考案によれば、集塵期間が長くなってもバグ保持板の受孔から脱落することのない集塵用バグフィルターを提供することができる。
【符号の説明】
【００２４】
５      金属リング
１０，２０    筒状濾布体
１１，２１    開口縁部
１２，２２    濾布胴部
２３    帯布
４０    止め具Ａ
４１    止め具Ｂ
３０    バグ保持板
３０ａ  受孔
【図１】
0003204164.tif 000003
【図２】
0003204164.tif 000004
【図３】
0003204164.tif 000005
【図４】
0003204164.tif 000006
【図５】
0003204164.tif 000007
【図６】
0003204164.tif 000008
【図７】
0003204164.tif 000009
【図８】
0003204164.tif 000010